(57)【要約】【課題】燃料漏れ事故が起こらず、大きな炎を安定して発生できるトーチ棒の炎発生装置を提供する。【解決手段】トーチ棒本体１に収納した燃料タンク４の先端４aに設けた肉厚な真鍮又は銅製の炎芯支持体３の炎芯支持孔５にガラス繊維製の炎芯６を装着し、炎芯支持体３には燃料タンク４内側に臨む開口部７ｂと外側に臨む開口部７aとを連絡する複数の空気供給路７を設け、燃料タンク４に不揮発性の液体燃料９を充填した炎発生装置であって、炎芯支持体３の空気供給路７の外側に臨む複数の開口部７aのうち少なくとも１つの開口部７aを、トーチ棒本体１を斜めにしたときに炎芯支持孔５の中心よりも上側に位置するように炎芯支持体３の先端３aに配設し、各空気供給路７を、液体燃料９の粘性によって空気供給路７の途中で液体燃料９の流出を制止可能とし、且つ空気を燃料タンク４内に安定的に供給可能とする微小径に形成する。【選択図】    図４
2011158221.tif 000002
【特許請求の範囲】
【請求項１】
トーチ棒本体の先端部に収納した燃料タンクの先端に、該燃料タンク内から外に貫通する炎芯支持孔を設けた肉厚な真鍮又は銅製の炎芯支持体を固着し、該炎芯支持孔に先端が該炎芯支持孔の先端から突出し且つ後端が前記燃料タンクの底部に届く長さのガラス繊維製の炎芯を装着し、前記炎芯支持体には燃料タンク内側に臨む開口部と外側に臨む開口部とを連絡する複数の空気供給路を設け、前記燃料タンクに不揮発性の液体燃料を充填し、前記炎芯の繊維間の隙間から供給される前記液体燃料を前記炎芯の先端で燃焼させる炎発生装置であって、
前記炎芯支持体の空気供給路の外側に臨む複数の開口部のうち少なくとも１つの開口部を、前記トーチ棒本体を斜めにしたときに前記炎芯支持孔の中心よりも上側に位置するように前記炎芯支持体の先端に配設し、前記各空気供給路を、前記液体燃料の粘性によって該空気供給路の途中で前記液体燃料の流出を制止可能とし、且つ前記液体燃料の消費による前記燃料タンク内の減圧に応じて空気を前記燃料タンク内に安定的に供給可能とする微小径に形成したことを特徴とするトーチ棒の炎発生装置。
【請求項２】
複数の空気供給路の外側に臨む開口部を、炎芯支持体の先端に、炎芯支持孔を中心としてその周囲に等距離且つ等分度で形成したことを特徴とする請求項１に記載のトーチ棒の炎発生装置。
【請求項３】
複数の空気供給路が、炎芯支持孔の内周面に形成した該炎芯支持孔の先端から後端まで続く複数のネジ状の螺旋溝を炎芯の外周面で囲って形成した螺旋状の空気供給路であることを特徴とする請求項１又は２に記載のトーチ棒の炎発生装置。
【請求項４】
炎芯支持体の表面に複数の放熱突起を備えたことを特徴とする請求項１から３のうちいずれかに記載の炎発生装置。
【請求項５】
燃料タンクの素材を、炎の燃焼温度よりも高い温度に耐える耐熱性を有する樹脂製としたことを特徴とする請求項１から４のうちいずれかに記載の炎発生装置。
【請求項６】
使用する液体燃料を、鉱油、樹脂、水又は鉱油、樹脂、水及び発色剤を混合した着色炎を発色可能な不揮発性の液体燃料としたことを特徴とする請求項１から５のうちいずれかに記載の炎発生装置。
【発明の詳細な説明】
【技術分野】
【０００１】
本発明は、結婚披露宴のキャンドルサービスなどの儀式やイベントなどに用いるトーチ棒の先端に装着される炎発生装置に関する。
【背景技術】
【０００２】
従来提供されているガス式着火具は、結婚披露宴でのキャンドルサービス中、素早く移動したり振り回したりすると空気で炎が掻き消され、その度に式の進行や雰囲気が壊されることがあった。
そこで、本発明者は下記特許文献１の液体燃料によるキャンドルトーチ棒を提案して、キャンドルサービス中の炎が消えてしまう問題と、同時に燃料の液漏れが事故の発生の問題を解決し、製品を提供して好評を得た。
その後本発明者は、空気供給孔の通路中に燃料制止路を屈曲させて形成した下記特許文献２の発明により、燃料の噴出事故が防止され、使用中の安全性を高めた製品を得た。
【先行技術文献】
【特許文献】
【０００３】
【特許文献１】特開平７−２８０２６４号公報
【特許文献２】特開２００７−３０２５号公報
【発明の概要】
【発明が解決しようとする課題】
【０００４】
しかしながら、上記特許文献１及び２に記載の技術では、液体燃料を使い切るまで継続して大きな炎を安定的に発生させることが困難であった。
そこで本発明は、トーチ棒を素早く移動させても炎が掻き消されず、且つ使用中の液漏れ事故を防止できるとともに、燃料が用尽されるまで安定して大きな炎を発生させることが可能となる炎発生装置を提供することを目的とする。
【課題を解決するための手段】
【０００５】
上記課題を解決するために本発明のトーチ棒の炎発生装置は、請求項１に記載の発明にあっては、トーチ棒本体の先端部に収納した燃料タンクの先端に、該燃料タンク内から外に貫通する炎芯支持孔を設けた肉厚な真鍮又は銅製の炎芯支持体を固着し、該炎芯支持孔に先端が該炎芯支持孔の先端から突出し且つ後端が前記燃料タンクの底部に届く長さのガラス繊維製の炎芯を装着し、前記炎芯支持体には燃料タンク内側に臨む開口部と外側に臨む開口部とを連絡する複数の空気供給路を設け、前記燃料タンクに不揮発性の液体燃料を充填し、前記炎芯の繊維間の隙間から供給される前記液体燃料を前記炎芯の先端で燃焼させる炎発生装置であって、前記炎芯支持体の空気供給路の外側に臨む複数の開口部のうち少なくとも１つの開口部を、前記トーチ棒本体を斜めにしたときに前記炎芯支持孔の中心よりも上側に位置するように前記炎芯支持体の先端に配設し、前記各空気供給路を、前記液体燃料の粘性によって該空気供給路の途中で前記液体燃料の流出を制止可能とし、且つ前記液体燃料の消費による前記燃料タンク内の減圧に応じて空気を前記燃料タンク内に安定的に供給可能とする微小径に形成したことを特徴とする。
【０００６】
請求項２に記載の発明にあっては、上記発明において、前記複数の空気供給路の外側に臨む開口部を、炎芯支持体の先端に、炎芯支持孔を中心としてその周囲に等距離且つ等分度で形成したことを特徴とする。
【０００７】
請求項３に記載の発明にあっては、上記各発明において、前記複数の空気供給路が、炎芯支持孔の内周面に形成した該炎芯支持孔の先端から後端まで続く複数のネジ状の螺旋溝を、前記炎芯の外周面で囲って形成した螺旋状の空気供給路であることを特徴とする。
【０００８】
請求項４に記載の発明にあっては、上記各発明において、前記炎芯支持体の表面に複数の放熱突起を備えたことを特徴とする。
【０００９】
請求項５に記載の発明にあっては、上記各発明において、前記燃料タンクの素材を、炎の燃焼温度よりも高い温度に耐える耐熱性を有する樹脂製としたことを特徴とする。
【００１０】
請求項６に記載の発明にあっては、上記各発明において、使用する前記液体燃料を、鉱油、樹脂、水又は鉱油、樹脂、水及び発色剤を混合した着色炎を発色可能な不揮発性の液体燃料としたことを特徴とする。
【発明の効果】
【００１１】
上記構成の本発明は、燃料タンク内の燃料の使用分はその嵩分の減圧で空気が空気供給路から取り込まれ、その際に、炎芯の該繊維間の毛細空間から毛細管現象で燃料が常時供給されて燃焼が続き、風で吹き消されそうになっても炎芯に焼けた火種が残り、炎が容易に消えることがない。
そして、使用中にキャンドルトーチ棒の先端側を下向きに傾けても、不揮発性の液体燃料は粘性が高いので該空気供給路の内壁に粘り付いて途中で孔詰りを起こし、また、該空気供給路から流出した減量の嵩分燃料タンク内が減圧されるので漏れ出しにくくなる。このため、使用中の液体燃料の漏出による周囲の汚染や火災事故の発生の問題が解消される。
また、炎を消して、トーチ棒の保管中などにおいて、トーチ棒を横向きに寝せて置いても、前記空気供給路は微小で長いので、常温にまで冷えた液体燃料は流動性が低なって容易に漏出することがなくなる。このため液体燃料で周囲を汚染することもない。
本発明では、このように液体燃料の漏出という厄介な問題を解決したので、安心して使用することができる。
また、前記炎芯支持体は高い熱伝導率の真鍮又は銅製とすることで、着火初期に炎の熱を前記炎芯支持体の全体に速く伝達して、冷えて流動性が低くなっている液体燃料を速く暖めて流動性を高めることで、燃料タンク内から炎芯の先端部への液体燃料の供給速度を速め、燃焼炎を大きな炎に速く立ち上げることが可能となる。
【００１２】
そして、前記炎芯支持体の微小径の空気供給路から、前記液体燃料の消費による燃料タンク内の減圧に応じて空気が燃料タンクから炎芯の先端に安定的に供給され、その際に外側に臨む複数の開口部のうち少なくとも１つの開口部を、前記トーチ棒本体を斜めにしたときに前記炎芯支持孔の中心よりも上側に位置するように前記炎芯支持体の先端に配設したので、燃料を燃焼中にトーチ棒本体を傾け、下側の開口部が孔詰りを起こした場合であっても、上側の少なくとも１つの開口部は孔詰りを起こすことがないので、その上側の空気供給路から減圧状態となった燃料タンク内に安定的に空気を供給することができる。
また、前記燃料タンク内の液体燃料は、炎芯の繊維間の毛細空間を経由して毛細管現象によって常時安定的に炎芯の先端部へと供給されて、この円滑な液体燃料の供給により大きな炎を安定的に発生させることが可能となる。
【００１３】
請求項２に記載の発明では、前記複数の空気供給路の外側に臨む開口部が、炎芯支持体の先端に、該炎芯支持孔を中心としてその周囲に等距離且つ等分度で形成されるので、トーチ棒を上向に傾斜させても、空気供給路の開口部の少なくとも１つは必ず炎芯支持孔の中心よりも上側に位置させることができる。
このため下側の空気供給路が途中にて孔詰りを起こしても上側の空気供給路の開口部から燃料タンク内に空気を円滑に供給することができ、このことでトーチ棒の使用角度にかかわらず、大きな炎を安定的に発生させることが可能となる。
【００１４】
請求項３に記載の発明では、前記炎芯支持体内の複数の螺旋溝で形成される空気供給路は、途中で孔詰りを起こしても、発生させた炎の温度が高まり液体燃料の流動性が増し、いずれかの空気供給路の開口部から燃料タンク内に有効に空気を供給することが可能となり、前記トーチ棒の使用傾斜角度の大小にかかわらず、大きな炎を安定的に発生させることができる。
【００１５】
請求項４に記載の発明では、前記炎芯支持体の表面に突設した放熱突起によって、炎によって過度に暖められた炎芯支持体の表面の熱が前記放熱突起から空中に放出されので、前気芯支持体の温度が低く抑えられる。このため該炎芯支持体に一体化されている燃料タンクの過熱の防止にも役立たせることが可能となる。
【００１６】
請求項５に記載の発明では、前記燃料タンクを発生する炎から前記炎芯支持体を介して受ける高い温度に耐えられる耐熱性を有する樹脂製とすることで、その前記燃料タンクの炎の熱による変形を防止するこが可能となる。このように前記燃料タンクを樹脂製とすることで、金属製の燃料タンクよりも軽量化とコストダウンとが同時に実現できる。
【００１７】
請求項６に記載の発明では、使用する前記液体燃料を、着色炎を発色可能な鉱油と樹脂と水及び発色剤を混合した不揮発性の液体燃料を用いることで、所望の炎の色を選択して使用することが可能となる。
また、このような液体燃料を使用すると、液体燃料は粘性度が高いので、燃料タンクを転倒させてしまったとしても、前記空気供給路は微小で細長いので、液体燃料が路中に滞って外にまでは漏出せず、このため燃料漏れ事故や汚染の発生を防止することが可能となる。
そして、水を含んだ液体燃料ではその水分が炎の熱で水蒸気となり炎の中で急激に体積が膨張し、その結果インパクトのある大きな炎を得ることができる。
【図面の簡単な説明】
【００１８】
【図１】本発明のトーチ棒の炎発生装置の斜視図。
【図２】トーチ棒の炎発生装置の先端部の拡大斜視図。
【図３】キャップをした状態のトーチ棒の炎発生装置の先端部の縦断側面図。
【図４】炎発生装置の縦断側面図。
【図５】燃料タンクに固定された炎芯支持体の縦断側面図。
【図６】炎芯が挿嵌されている炎芯支持体の縦断側面図。
【図７】炎芯支持体の縦断側面図。
【図８】放熱突起を備えた形態の炎芯支持体の縦断側面図。
【図９】螺旋状の空気供給路を備えた形態の炎芯支持体の縦断側面図。
【図１０】炎芯支持体の先端を中心線の前方から見た状態を示す正面図。
【発明を実施するための形態】
【００１９】
本発明は結婚披露宴のキャンドルサービスなどの儀式やイベントなどに使用するトーチ棒の先端に装着される炎発生装置に関するものであり、該炎発生装置をキャンドルサービス用のトーチ棒を例に以下詳述する。
【００２０】
本発明のトーチ棒の炎発生装置は、図１に示すように、細長いキャンドルサービス用のトーチ棒本体１の基部には手で握るためのグリップ部１２を備え、先端部１ａにトーチ棒本体１の内部に筒状タンク収納部１９を形成する。そして、図４に示すように、一体的に固定された細長い円筒形の燃料タンク４と略円柱状の肉厚な真鍮又は銅製の炎芯支持体３とを該筒状タンク収納部１９に収納する。
その際、図３に示すように、トーチ棒本体１の先端部１ａに設けた雌ネジ部２に前記炎芯支持体３に設けた雄ネジ部１４を嵌合させて螺着し、一体的に固定された燃料タンク４と炎芯支持体３を前記炎芯支持体３部分でトーチ棒本体１の先端部１aに固定する。
前記雄ネジ部１４の先端側にパッキン溝１８を形成してその溝１８にゴム製のパッキン１６を嵌めて前記炎芯支持体３とトーチ棒本体１の先端部１ａとを気密状態に固定する。
このため、図２に示すように、前記炎芯支持体３の先端３a側部分がトーチ棒本体１の先端部１aから露出状態となる。
【００２１】
また、前記炎芯支持体３と前記燃料タンク４との固定は、図５に示すように、前記炎芯支持体３には雄ネジ部１３を設け、前記燃料タンク４には該雄ネジ部１３に対応して螺合する雌ネジ部２２を設け、さらに前記炎芯支持体３の雄ネジ部１３にゴム製のパッキン溝１７を形成してその溝１７にパッキン１５を嵌め、前記炎芯支持体３の雌ネジ部２２と前記燃料タンク４の雄ネジ部１３とが気密状態となるように強固に螺着し該炎芯支持体３と燃料タンク４とを一体化する。
前記燃料タンク４の後端４ｂは液体注入蓋２０を開閉可能に螺着し、ここから液体燃料９を補充することをできるようにする。
前記燃料タンク４は、トーチ棒本体１の筒状タンク収納部１９に収納可能な径とするが、例えば、径が１５〜３０ｍｍ程度で８０cm程度の長さのトーチ棒では、長さ１０〜２０ｃｍで、径が１０〜２５ｍｍ程度の円筒体の燃料タンク４が使用に適している。
【００２２】
この場合、前記略円柱状の真鍮又は銅製炎芯支持体３は、長さを１０ｍｍ〜３０ｍｍ、径を１０〜２５ｍｍ程度とし、図７に示すように、その中心に先端３ａから後端３ｂまで肉厚部を貫通した３〜５ｍｍ径の炎芯支持孔５を設ける。
そして該炎芯支持孔５には、図６に示すように、ガラス繊維を撚って４〜６ｍｍ径の複数の紐を束にした炎芯６を、その繊維間に燃料送り出しのための最小限の毛細空間を確保して液体燃料が漏れ出さないように詰めて装着する。
この際、過度に強く詰めると繊維間の毛細空間が狭まってしまって液体燃料の供給が停止してしまう虞があるので、横の膨らみを抑える程度に絞って前記炎芯支持孔５に挿通する。
この炎芯６を前記炎芯支持孔５に挿通したとき、前記燃料タンク４内に突出した前記炎芯６の後端６ｂは該燃料タンク４の後端４ｂに届く程度まで突出させ、また前記炎芯６の前端６aは前記炎芯支持体３の先端３aから外に５ｍｍから１０ｍｍ程度に突出させて装着する。
【００２３】
そしてさらに、図７に示すように、前記炎芯支持体３に前記炎芯支持孔５に沿って肉内部を貫通して燃料タンク４内側に臨む開口部７ｂと外側に臨む開口部７aとを連絡する複数の細長い空気供給路７を設ける。
該空気供給路７は、前記液体燃料９の粘性によって該空気供給路７の途中で前記液体燃料９の流出を制止可能とし、且つ前記液体燃料９の消費による前記燃料タンク４内の減圧に応じて空気を前記燃料タンク４内に安定的に供給可能とする微小径に形成する。
その空気供給路７の径は、例えば、０．３〜０．５ｍｍとし、長さは前記炎芯支持体３を貫く１０ｍｍ〜３０ｍｍ程度とすると前記液体燃料９の流出が制止されるので好適である。
また、該空気供給路７は、図１０に示すように、前記炎芯支持体３の先端３aの複数の開口部７aのうち少なくとも１つは、前記トーチ棒本体１を斜めにしたときに前記炎芯支持孔５の中心よりも上側に位置するように、前記炎芯支持体３の先端３aに、前記炎芯支持孔５を中心としてその周囲に等距離且つ等分度で形成する。
この該空気供給路７によって、燃料タンク４内の液体燃料９が、燃焼して減った液体燃料９の嵩分燃焼タンク９内が減圧し、その減圧された量の空気を取り込むことが可能となる。
【００２４】
そして、前記トーチ棒本体１を斜め下向きにしたとき、該空気供給路９に前記液体燃料９が入り込んで前記液体燃料９の粘性により途中で止まり、その先には進まなくなる。このため液体燃料９が外部に漏出することが防止される。
このとき前記炎芯支持孔５の下側の空気供給路９は詰っても、上側に位置する空気供給路９は開いているのでそこから空気を供給することができる。
しかし真下に向けると全ての空気供給路９は詰って空気の供給が止まって、燃焼が弱まることとなるが、通常このような使用はしないので、常に上側に位置する空気供給路９は開いた状態で使用され、このなめ常時正常な大きさの炎を得ることが可能となる。
【００２５】
上記図１０の（イ）〜（ホ）は、空気供給路９の形態を示し、いずれも前記炎芯支持体３の先端３aに前記炎芯支持孔５を中心としてその周囲に等距離且つ等分度で複数の空気供給路７を形成したものである。
そのうち図１０の（イ）、（ロ）及び（ハ）では、それぞれ２〜４個空気供給路７を設けた形態を示し、図１０の（ニ）では、前記複数の空気供給路が、炎芯支持孔５の内周面に形成した該炎芯支持孔５の先端５aから後端５ｂまで続く複数のネジ状の螺旋溝８を炎芯６の外周面で囲って形成した螺旋状の空気供給路とした形態を示し、さらに図１０の（ホ）では、炎芯支持孔５に沿った空気供給路７と前記螺旋溝８の空気供給路の両方を設けた形態を示しており、これらのいずれの形態でも選択できる。
【００２６】
この中の前記螺旋溝８による形態の場合には、上端から下端まで連続した溝を前記炎芯支持孔５の内側に刻設して、挿入した前記炎芯８の外周で前記螺旋溝８を囲って前記炎芯支持孔５の上端５aから下端５ｂまで連通した細長い螺旋状の空気供給路を形成する。
前記炎芯支持孔５の内径を３〜５ｍｍとした場合には、前記螺旋溝８の深さは０．２〜０．７ｍｍ程度とし、ネジ状に形成した螺旋のピッチは０．２〜１ｍｍ程度とすることができる。こうして形成される空気供給路は、径が０．２〜０．７程度で、その長さは炎芯支持体３の長さを１０ｍｍとすると約１０ｃｍ以上となる。
この空気供給路の形態では、使用する炎芯６の太さは、細いガラス繊維を紐状に撚った太さ４〜６ｍｍの炎芯６を使用し、前記炎芯支持孔５に軽く詰めて装着するが、該炎芯６はガラス繊維製を用いるので、外圧を受けて大きく変形するものであり、正確に計測することはできないが、前記螺旋溝８の内径より僅かに太いものを用いて前記炎芯支持孔５から自然に抜けてしまうことのないものを使用する。
このように装着した前記炎芯６は、ガラス繊維間の隙間に発生する毛細管現象による前記液体燃料９の上昇を阻害しない一定の隙間が確保される。
【００２７】
そして、前記燃料タンク４内には、前記細長い空気供給路７の途中で漏出が止まる粘度の不揮発性液体燃料９を充填する。
該前記液体燃料９は、鉱油、樹脂、水又は鉱油、樹脂、水及び発色剤を混合した着色炎を発色可能な不揮発性の液体燃料９を使用し、所望の炎の色を選択して使用することが可能である。
その配合は、鉱油  １０〜１５％、樹脂  ７０〜８０％、水１０〜１５％としたものが最適である。通常、鉱油と水だけでは両者は混ざらずに分離してしまうが、本発明では、これに油脂（グリコール）を加えた上記の如き配合とすることで、均一に混合された状態を維持させることが可能となる。
前記着色液体燃料９は、例えば、不揮発性で無臭な引火点が１０４℃、沸点１６３℃の液体燃料に、発色剤を加えてグリーン、ブルー、レッドの３色を発色可能とした液体燃料９を用いることが可能である。
該液体燃料では調合で燃焼炎を多様な色に発色させることも可能であり、その発色光で用いる式場などの場所に独特な趣を醸し出すことが可能となる。
このような液体燃料は、液体としての粘性は温度の高さに比して流動性が変わり、水などの液体に較べて粘性度が高く、トーチ棒を横に寝せて置いても微小で細長い空気供給路に液体燃料が滞って外にまでは漏出せず、燃料漏れ事故や汚染の発生を防止可能となる。
上記の如き配合の着色液体燃料９は、前記炎芯６の毛細流路を経由して前記炎芯６の先端へ送られ、前記炎芯６の先端６aで燃焼すると、含まれる水が１００℃で水蒸気となり蒸発する際に急激な膨張を起こし炎が大きく膨んで大きな炎を発生させ続けることが可能となる。
【００２８】
しかしながら、着火直後では液体燃料は冷たく流動性が低い状態となっているので得られる炎は小さい。そして、炎の熱は真上に高く、下に低くいので、炎の下側となる前記炎芯支持体は容易に温度が高くならず、その中の液体燃料が加熱されない。このため、熱伝導率の低い金属の炎芯支持体を用いると大きい炎を発生させるのに長い時間を要してしまうこととなる。
そこで、本発明では炎芯支持体を高い熱伝導率を持つ真鍮又は銅製とすることで、着火初期の炎の熱を前記炎芯支持体の全体に速く伝達して、冷たくなって流動性が低い状態となっている炎芯支持孔５内の液体燃料を短時間で暖めて流動性を高めることで燃料タンク内から炎芯の先端部への液体燃料の供給速度を速め、正常な大きな炎に速く立ち上げることが可能となる。
【００２９】
なお、図３に示すように、前記炎芯支持体３の先端３a側露出部分には、キャップ１１を嵌めて覆い隠すことができるようにする。この着脱可能に設けたキャップ１１は前記炎芯支持体３から突出した炎芯６を保護し、また着火していないときに露出した炎芯６に付着している液体燃料９が周囲に接触して汚れるのを防止し、燃焼中の炎に被せれば空気を遮断して容易に消すことが可能となる。
【００３０】
また、前記炎芯支持体３の表面には複数の放熱突起１０を備えることが可能である。
この放熱突起１０は、前記炎芯支持体が炎の熱で高温になったとき、その表面から周囲の空中に熱を放出させて温度が過度に高くなるのを防止することができ、これに繋がる燃料タンクの過熱の防止に役立つ。
【００３１】
前記燃料タンク４の素材は、ステンレス、真鍮又はアルミニウムなどの金属製が使用できる。
また、前記炎芯支持体３の温度は、通常の使用方法では炎の熱は真上に高く、下に低くいので、炎の下側となる前記炎芯支持体は容易に温度が高くはならず、さらに前記炎芯支持体の熱はその表面から空気中に放出されるとともに固定したトーチ棒本体１にも伝達されて奪われるので温度が高くならない。その温度は前記炎芯支持体を使用中に手で触れると熱いと感じるものの水を掛けて瞬間的に蒸発するほどの温度ではない。
このため、炎の燃焼で加熱される前記炎芯支持体３の上記温度よりも高い温度に耐える耐熱性を有するポリエチレンやアクリルなどの樹脂素材を用いることも可能である。
【００３２】
なお、前記トーチ棒本体や前記燃料タンク４の湾曲した表面には、結婚を祝うメッセージの文字などを立体印刷機で印字することで、式の記念品とすることもできる。
【００３３】
以上の如き各構成の本発明を試作し前記着色した液体燃料９を使用して燃焼試験を行ったところ、いずれの形態でも綺麗な色の大きな炎が安定して発生し、燃料タンク内の液体燃料９がなくなるまで継続して得ることができた。
【産業上の利用可能性】
【００３４】
本発明は、結婚披露宴のキャンドルサービスに用いる他に、葬儀用の献灯式や誕生パーテイなど各種エベント用として蝋燭を点灯する着火具として用い、また長時間大きな炎を点灯し続けるこができるので照明具として使用することも可能である。
【符号の説明】
【００３５】
１    トーチ棒本体
１ａ  トーチ棒本体の先端部
２    トーチ棒本体の雌ネジ部
３    炎芯支持体
３ａ  炎芯支持体の先端
３ｂ  炎芯支持体の後端
４    燃料タンク
４ａ  燃料タンクの先端
４ｂ  燃料タンクの後端
５    炎芯支持孔
５ａ  炎芯支持孔の先端
５ｂ  炎芯支持孔の後端
６    炎芯
６ａ  炎芯の先端
６ｂ  炎芯の後端
７    空気供給路
７ａ  空気供給路の炎芯支持体先端側の開口部
７ｂ  空気供給路の炎芯支持体後端側の開口部
８    螺旋溝
８ａ  螺旋溝の先端
８ｂ  螺旋溝の後端
９    液体燃料
１０    放熱突起
１１    キャップ
１２    グリップ部
１３    ネジ部
１４    ネジ部
１５    パッキン
１６    パッキン
１７    パッキン溝
１８    パッキン溝
１９    筒状タンク収納部
２０    液体注入蓋
２１    炎
２２    燃料タンクの雌ネジ部
【図１】
2011158221.tif 000003
【図２】
2011158221.tif 000004
【図３】
2011158221.tif 000005
【図４】
2011158221.tif 000006
【図５】
2011158221.tif 000007
【図６】
2011158221.tif 000008
【図７】
2011158221.tif 000009
【図８】
2011158221.tif 000010
【図９】
2011158221.tif 000011
【図１０】
2011158221.tif 000012